【手続補正書】
【提出日】平成27年11月20日(2015.11.20)
【手続補正１】
【補正対象書類名】特許請求の範囲
【補正対象項目名】全文
【補正方法】変更
【補正の内容】
【特許請求の範囲】
【請求項１】
第１の軸である垂直の長手方向（ＸＸ’）に延在する第１の円筒形支持部（２）を備える移送モジュール（１ａ）であって、前記第１の円筒形支持部が同一の第１の軸（ＸＸ’）の螺旋シュート又は導管（３）を支持する移送モジュール（１ａ）と、
上方及び下方の２つのテーブル（４ａ，４ｂ）を備え、前記同一の第１の軸（ＸＸ’）の第２の支持部（４）を備える振動モジュール（１ｂ）であって、前記２つのテーブルのうちの１つの振動伝達テーブルが少なくとも前記第１の円筒形支持部の長手方向端部に固定され、それによって振動伝達テーブルが前記振動を伝達することが可能になり、前記第２の支持部が、前記第２の支持部の同一の水平面（Ｐ）にしたがう側面にわたって均等に配分された、少なくともｎ個の対の振動モータ（５）を支持し、各モータが、水平に対して同一の傾斜αにしたがって長手方向（ＹｉＹｉ’、ただしｉ＝１から２ｎ）で延在し、各対のうちの２つのモータが、正反対に配置され、前記第２の支持部が、異なる振動モータと前記振動伝達テーブルとの間の堅固な連結部片を備え、それによって前記モータのアセンブリの振動状態での同時の作動が第１の支持部の螺旋振動を発生させることが可能である振動モジュール（１ｂ）とからなる振動式移送デバイス（１）において、
前記堅固な連結部片が、少なくとも、
ａ）対で正反対に位置する外側縁部（４ｃ’）を備え、垂直方向に延在する複数の少なくとも２ｎ個の垂直構造要素（４ｃｉ、ただしｉ＝１〜２ｎ）であって、前記垂直構造要素が異なる径方向ＺｊＺｊ’（ただしｊ＝１からｎ）に延在する平坦な部分を備え、各前記垂直構造要素が水平断面で開いた横断面、及び前記径方向に垂直な垂直断面を有する構造要素と、
ｂ）対で正反対に位置する外側外周縁部（４ｄ’）を備え、水平方向に延在する複数の少なくとも２ｎ個の水平構造要素（４ｄｊ，４ｄｉ−ｊ、ただしｉ＝１〜４、Ｊ＝１〜ｐ、ｐ＝２又は３）であって、前記水平構造要素が前記垂直方向（ＸＸ’）に異なるレベルで配置された平坦な部分を備え、各前記水平構造要素が垂直断面で開いた横断面を有する構造要素と、
ｃ）少なくとも１つの前記水平構造要素（４ｄｊ，４ｄｉ−ｊ、ただしｉ＝１〜４、ｊ＝１〜ｐ、ｐ＝２又は３）に溶接された各前記垂直構造要素（４ｃｉ）であって、各前記水平構造要素が少なくとも１つの前記垂直構造要素に溶接され、複数の対（４ｃ１，４ｃ３）で前記正反対に位置する垂直構造要素のうちの少なくとも２（ｎ−１）個が同一の
垂直連結要素に溶接された内側縁部（４ｃ’）を備え、前記水平構造要素のうちの少なくとも１つの部分が、同一の垂直な軸方向連結要素（４ｃ）に溶接された内側縁部（４ｄ’’）を備えている各前記垂直構造要素（４ｃｉ）と、
ｄ）少なくとも１つの前記垂直構造要素（４ｃｉ、ただしｉ＝１から４）の少なくとも１つの前記外周の外側縁部（４ｃ’’）、及び少なくとも１つの前記水平構造要素の少なくとも１つの前記外周の外側縁部（４ｄ’）のいずれか、
又は少なくとも１つの前記垂直構造要素（４ｃｉ）の少なくとも１つの前記外周の外側縁部（４ｃ’’）に溶接され、少なくとも１つの水平構造要素（４ｄｊ、４ｄｉ−ｊ）の少なくとも１つの前記外周の外側縁部（４ｄ’）に溶接された側壁（６）の一部分に固定された各前記振動モータ（５）と、
を溶接することによる少なくとも１つのアセンブリを備える、同一の垂直軸ＸＸ’の部分的に中空にされたメカノ溶接構造であることを特徴とする
振動式移送デバイス（１）。
【請求項２】
全ての前記垂直構造要素が、同一の軸方向垂直連結要素（４ｃ）に溶接された内側縁部（４ｃ’）を備えることを特徴とする、請求項１に記載のデバイス。
【請求項３】
前記堅固な連結部片が、
完全に平坦な前記垂直構造要素（４ｃｉ）、及び
完全に平坦な前記水平構造要素（４ｄｉ，４ｄｉ−ｊ，４ｅ，４ｅ−ｊ）
を備えることを特徴とする、請求項１又は２に記載のデバイス。
【請求項４】
前記軸方向連結要素（４ｃ）が、前記同一の垂直軸（ＸＸ’）の垂直の管状連結要素であり、全ての前記垂直構造要素（４ｃｉ）が管状の前記同一の垂直連結要素に溶接されていることを特徴とする、請求項１乃至３のいずれか１項に記載のデバイス。
【請求項５】
正反対に位置する外周縁部を有する２つの前記垂直構造要素（４ｃ２，４ｃ４）が、前記中央の垂直軸（ＸＸ’）に対して連続的かつ対称に延在し、前記垂直な軸方向連結要素（４ｃ）を形成する垂直な中央の平坦な部分を有する同一の部片によって構成され、もう一方の垂直構造要素（４ｃ１，４ｃ３）が、前記軸方向連結要素の前記平坦な中央部分の面に溶接された内側縁部（４ｃ’）を有することを特徴とする、請求項１乃至３のいずれか１項に記載のデバイス。
【請求項６】
前記堅固な連結部片が、
前記上方のテーブル（４ａ）と下方のテーブル（４ｂ）の間に垂直に、かつ実質的に前記垂直軸ＸＸ’及び前記モジュールの外周から径方向に延在する、前記完全に平坦な垂直構造要素（４ｃｉ）と、
前記垂直構造要素（４ｃｉ）に溶接された、前記内側縁部（４ｄ’’）を形成する、２つの径方向に延在する側方縁部を備え、各前記平坦な垂直構造要素が前記垂直方向の異なるレベル（ｐ）で複数の前記平坦な水平構造要素に溶接されている、前記完全に平坦な水平構造要素（４ｄｉ−ｊ）と
を備えることを特徴とする、請求項１乃至４のいずれか１項に記載のデバイス。
【請求項７】
前記垂直方向での各前記ｐのレベルで、２ｎ個の前記平坦な水平構造要素（４ｄｉ−ｊ、ただしｉ＝１〜２ｎ、ｎ＝２、かつｊ＝１〜３）が前記垂直方向での同一のレベルに配置されることを特徴とする、請求項５及び６のいずれかに記載のデバイス。
【請求項８】
前記堅固な連結部片が、垂直に整列され空隙（４ｅ）を有する平坦な部分を備える前記垂直方向にｐのレベルで前記水平構造要素を備え、前記空隙内に点検梯子が配置され、又は前記空隙内に点検梯子を配置することを可能にすることができることを特徴とする、請
求項１乃至７のいずれか１項に記載のデバイス。
【請求項９】
前記堅固な連結部片が、
２つの前記上方のテーブル（４ａ）と下方のテーブル（４ｂ）の間、又は２つの前記水平構造要素の２つの平坦な部分の間に延在するように構成された垂直の補強要素（４ｇ，４ｈ）、及び
水平補強要素（４ｆ）であって、その径方向の内側縁部が、前記垂直構造要素の平坦な部分にその外周の外側縁部（４ｃ’’）から溶接される、水平補強要素（４ｆ）
のうちの少なくとも一方を備えることを特徴とする、請求項１乃至８のいずれか１項に記載のデバイス。
【請求項１０】
前記対のモータの数がｎ＝２から６であり、前記中間平面での異なる径方向（ＺｊＺｊ’）の異なる対のモータが、９０°（ｎ＝２）、６０°（ｎ＝３）、４５°（ｎ＝４）、３６°（ｎ＝５）、３０°（ｎ＝６）の同一のベータ角度で角度的に間隔を置いて配置されていること
を特徴とする、請求項１乃至９のいずれか１項に記載のデバイス。
【請求項１１】
前記振動モータ（５）が、振動状態で電気的に作動可能なアンバランス・モータであり、該モータが、同一の値の傾斜の角度αでの傾斜、及び前記第１の軸ＸＸ’から同一の距離で配置された前記第１の軸ＸＸ’に平行な平面での同一の回転方向にしたがって長手軸方向（ＹＹ’）に延在する円筒形フードを備え、前記モータのそれぞれが、該モータの前記長手軸方向の軸ＹＹ’を中心に内部回転で回転することが可能な偏心した内部の質量を備え、前記モータのそれぞれが、そのフードのレベルで第１の装着プレート又は前記側壁（６）と一体の第１のフランジ（７）、あるいは第２のプレート又は第２のフランジ（６ｃ）によって前記側壁に固定され、前記第１の装着プレート又は第１のフランジ（７）が前記フードと一体のフランジ又はカラー（５ａ）に固定され、前記第１のプレート又は第１のフランジ（７）が、前記側壁（６）又は前記第２のプレートもしくは第２のフランジ（６ｃ）に対して固定され、前記第１のプレート又は第１のフランジ（７）が、同一の径方向の軸を中心とした前記第１のプレート又は第１のフランジの回転によっていくつかの留め位置をとることが可能であり、それによって前記モータ（５）の前記長手方向軸の前記可変の傾斜αを可能にすることを特徴とする、請求項１乃至１０のいずれか１項に記載のデバイス。
【請求項１２】
前記第１のプレート又は第１のフランジ（７）が開口部（７ａ）を備え、それぞれが円の弧の部分にわたって延在し、異なる複数の開口部が同一の円に沿って間隔を置いて配置され、留めネジ又はフィンガ（７ｂ）が前記開口部（７ａ）を通過して前記側壁（６）又は前記第２のプレートもしくは第２のフランジ（６ｃ）に連結され、前記第１のプレート又は第１のフランジの位置が、各開口部に沿った任意の位置にしたがって前記側壁（６）又は前記第２のプレートもしくは第２のフランジ（６ｃ）に対して回転して、及び前記ネジ又はフィンガ（７ｂ）を通過する前記開口部（７ａ）のオフセットにより調整可能であることを特徴とする、請求項１１に記載のデバイス。
【請求項１３】
前記上方のテーブルが、前記第１の支持部の下端に固定され、前記下方のテーブルがエラストマ材料で作製された減衰ピン（８）を下側に備えることを特徴とする、請求項１乃至１２のいずれか１項に記載のデバイス。
【請求項１４】
前記振動モータのアセンブリの同時の作動及び停止の連続が、前記移送モジュールの前記螺旋振動を生成するように行われることを特徴とする、請求項１乃至１３のいずれか１項に記載のデバイスを作動する方法。
【請求項１５】
前記モータが、該モータの長手軸方向の軸ＹＹ’の周りで内部回転で回転することが可能な偏心した内部の質量を備えるアンバランス・モータ（５）であり、正反対に位置する異なる対の２つのモータが反対方向に内部回転で回転することを特徴とする、請求項１４に記載の方法。
【請求項１６】
前記振動モータ（５）は前記第２の支持部の中間の水平面（Ｐ）にしたがう側面にわたって均等に配分される、請求項１に記載の振動式移送デバイス（１）。
【請求項１７】
振動モータ（５）は前記第２の支持部の外周の側壁（６）にわたって均等に配分される、請求項１６に記載の振動式移送デバイス（１）。
【請求項１８】
それぞれの前記振動モータ（５）は第１の装着プレート又は第１のフランジ（７）によって固定される、請求項１に記載の振動式移送デバイス（１）。
【請求項１９】
前記堅固な連結部片はｐのレベルにおいて前記水平構造要素を備え、ｐ＝２〜５である、請求項８に記載の振動式移送デバイス（１）。
【請求項２０】
前記補強要素（４ｇ，４ｈ）は開いた横断面を有する形状に形成される、請求項９に記載の振動式移送デバイス（１）。
【請求項２１】
２つの前記水平補強要素は前記平坦な部分の２つの対向する面に溶接される、請求項９に記載の振動式移送デバイス（１）。
【請求項２２】
前記開口部（７ａ）は円の弧の部分にわたって同一の長さにて延在する、請求項１２に記載の振動式移送デバイス（１）。
【請求項２３】
異なる複数の開口部は均等に間隔を置いて配置される、請求項１２に記載の振動式移送デバイス（１）。